(57)【要約】【課題】ＭＰＥＧ−２放送の限定受信の枠組みによるコンテンツ保護とＯＭＡ  ＤＲＭのような権利オブジェクトを用いたコンテンツ保護との互換性を実現する。【解決手段】ＰＭＴの第１の権利情報とＥＣＭ／ＥＭＭ内の鍵情報によって保護された第１の暗号化ディジタルビデオビットストリーム（３）と、第２の権利情報と鍵情報を含む権利オブジェクト及び権利オブジェクト識別情報を格納したＥＣＭ／ＥＭＭにより保護された第２の暗号化ディジタルビデオビットストリーム（２９）とを送信装置から送信し、受信装置では、第１の暗号化ディジタルビデオビットストリームはＰＭＴ情報の第１の権利情報とＥＣＭ／ＥＭＭ内に含まれた鍵情報によって解読され、第１の暗号化ディジタルビデオビットストリーム（６２）は権利オブジェクト識別情報により識別された権利オブジェクトを格納したＥＣＭ／ＥＭＭに含まれる権利情報と鍵とにより解読される。【選択図】図１
2009027681.tif 000002
【特許請求の範囲】
【請求項１】
入力ディジタル情報を第１の鍵で暗号化して第１の暗号化情報を生成する第１の暗号化手段と、
第２の鍵を生成する第２の鍵生成手段と、
前記入力ディジタル情報を前記第２の鍵で暗号化して第２の暗号化情報を生成する第２の暗号化手段と、
第１の権利情報を生成する第１の権利情報生成手段と、
第２の権利情報を生成する第２の権利情報生成手段と、
前記第２の権利情報及び前記第２の鍵を含む権利オブジェクトを生成する権利オブジェクト生成手段と、
前記権利オブジェクトであることを識別する権利オブジェクト識別情報を生成する権利オブジェクト識別情報生成手段と、
第３の鍵を生成するとともに生成した前記第３の鍵と前記権利オブジェクトと前記権利オブジェクト識別情報と受信装置識別情報とを含む第１のＥＭＭ（Ｅｎｔｉｌｅｍｅｎｔ  Ｍａｎａｇｅｍｅｎｔ  Ｍｅｓｓａｇｅ）を生成し暗号化して第１のＥＭＭ情報を生成する第１のＥＭＭ生成手段と、
前記第１の鍵を含む第１のＥＣＭ（Ｅｎｔｉｌｅｍｅｎｔ  Ｃｏｎｔｒｏｌ  Ｍｅｓｓａｇｅ）を生成し、生成した前記第１のＥＣＭを前記第３の鍵で暗号化して第１のＥＣＭ情報を生成する第１のＥＣＭ生成手段と、
前記第１のＥＣＭ情報と前記第１のＥＭＭ情報と前記第１の暗号化情報と前記第２の暗号化情報と前記第１の権利情報とを多重化して多重化情報を出力する多重化手段と、を具備する送信装置。
【請求項２】
入力ディジタル情報を第１の鍵で暗号化して第１の暗号化情報を生成する第１の暗号化手段と、
第２の鍵を生成する第２の鍵生成手段と、
第１の権利情報を生成する第１の権利情報生成手段と、
前記入力ディジタル情報を前記第２の鍵で暗号化して第２の暗号化情報を生成する第２の暗号化手段と、
第２の権利情報を生成する第２の権利情報生成手段と、
前記第２の権利情報及び前記第２の鍵を含む権利オブジェクトを生成する権利オブジェクト生成手段と、
前記権利オブジェクトであることを識別する権利オブジェクト識別情報を生成する権利オブジェクト識別情報生成手段と、
第３の鍵を生成するとともに生成した前記第３の鍵と受信装置識別情報と第２のＥＭＭを生成して暗号化し、第２のＥＭＭ情報を生成する第２のＥＭＭ生成手段と、
前記第１の鍵と前記権利オブジェクトと前記権利オブジェクト識別情報とを含む第２のＥＣＭを生成し、生成した前記第２のＥＣＭを前記第３の鍵によって暗号化して第２のＥＣＭ情報を生成する第２のＥＣＭ生成手段と、
前記第２のＥＣＭ情報と前記第２のＥＭＭ情報と前記第１の暗号化情報と前記第２の暗号化情報と前記第１の権利情報とを多重化して多重化情報を出力する多重化手段と、を具備する送信装置。
【請求項３】
入力多重化情報を分離して、暗号化された第１のＥＣＭ情報と暗号化された第１のＥＭＭ情報と第１の暗号化情報と第２の暗号化情報とＰＭＴ情報とを出力する分離手段と、
前記第１のＥＭＭ情報から受信装置識別情報と権利オブジェクトと第３の鍵とを抽出する第１のＥＭＭ復号手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記第３の鍵を用いて前記第１のＥＣＭ情報から第１のＥＣＭを復号して第１の鍵を出力する第１のＥＣＭ復号手段と、
前記ＰＭＴ情報から第１の権利情報を抽出する第１の権利情報抽出手段と、
前記第１の権利情報に基づき前記第１の鍵を用いて前記第１の暗号化情報を復号する第１の復号手段と、
前記第２の権利情報に基づき前記第２の鍵を用いて前記第２の暗号化情報を復号する第２の復号手段と、を具備する受信装置。
【請求項４】
入力多重化情報を分離して、暗号化された第２のＥＣＭ情報と暗号化された第２のＥＭＭ情報と第１の暗号化情報と第２の暗号化情報とＰＭＴ情報とを出力する分離手段と、
前記第２のＥＭＭ情報から受信装置識別情報と第３の鍵を抽出する第２のＥＭＭ復号手段と、
前記第３の鍵を用いて前記第２のＥＣＭ情報から第２のＥＣＭを復号して権利オブジェクトと第１の鍵とを抽出する第２のＥＣＭ復号手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記ＰＭＴ情報から第１の権利情報を抽出する第１の権利情報抽出手段と、
前記第１の権利情報に基づき前記第１の鍵を用いて前記第１の暗号化情報を復号する第１の復号手段と、
前記第２の権利情報に基づき前記第２の鍵を用いて前記第２の暗号化情報を復号する第２の復号手段と、を具備する受信装置。
【請求項５】
送信装置と受信装置とを具備する送受信装置であって、
前記送信装置は、
入力ディジタル情報を第１の鍵で暗号化して第１の暗号化情報を生成する第１の暗号化手段と、
第２の鍵を生成する第２の鍵生成手段と、
前記入力ディジタル情報を前記第２の鍵で暗号化して第２の暗号化情報を生成する第２の暗号化手段と、
第１の権利情報を生成する第１の権利情報生成手段と、
第２の権利情報を生成する第２の権利情報生成手段と、
前記第２の権利情報及び前記第２の鍵を含む権利オブジェクトを生成する権利オブジェクト生成手段と、
前記権利オブジェクトであることを識別する権利オブジェクト識別情報を生成する権利オブジェクト識別情報生成手段と、
第３の鍵を生成するとともに生成した前記第３の鍵と前記権利オブジェクトと前記権利オブジェクト識別情報と受信装置識別情報とを含む第１のＥＭＭ（Ｅｎｔｉｌｅｍｅｎｔ  Ｍａｎａｇｅｍｅｎｔ  Ｍｅｓｓａｇｅ）を生成し暗号化して第１のＥＭＭ情報を生成する第１のＥＭＭ生成手段と、
前記第１の鍵を含む第１のＥＣＭ（Ｅｎｔｉｌｅｍｅｎｔ  Ｃｏｎｔｒｏｌ  Ｍｅｓｓａｇｅ）を生成し、生成した前記第１のＥＣＭを前記第３の鍵で暗号化して第１のＥＣＭ情報を生成する第１のＥＣＭ生成手段と、
前記第１のＥＣＭ情報と前記第１のＥＭＭ情報と前記第１の暗号化情報と前記第２の暗号化情報と前記第１の権利情報とを多重化して多重化情報を出力する多重化手段と、を有し、
前記受信装置は、
入力多重化情報を分離して、暗号化された第１のＥＣＭ情報と暗号化された第１のＥＭＭ情報と第１の暗号化情報と第２の暗号化情報とＰＭＴ情報とを出力する分離手段と、
前記第１のＥＭＭ情報から受信装置識別情報と権利オブジェクトと第３の鍵とを抽出する第１のＥＭＭ復号手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記第３の鍵を用いて前記第１のＥＣＭ情報から第１のＥＣＭを復号して第１の鍵を出力する第１のＥＣＭ復号手段と、
前記ＰＭＴ情報から第１の権利情報を抽出する第１の権利情報抽出手段と、
前記第１の権利情報に基づき前記第１の鍵を用いて前記第１の暗号化情報を復号する第１の復号手段と、
前記第２の権利情報に基づき前記第２の鍵を用いて前記第２の暗号化情報を復号する第２の復号手段と、を有する送受信装置。
【請求項６】
送信装置と受信装置を具備する送受信装置であって、
前記送信装置は、
入力ディジタル情報を第１の鍵で暗号化して第１の暗号化情報を生成する第１の暗号化手段と、
第２の鍵を生成する第２の鍵生成手段と、
第１の権利情報を生成する第１の権利情報生成手段と、
前記入力ディジタル情報を前記第２の鍵で暗号化して第２の暗号化情報を生成する第２の暗号化手段と、
第２の権利情報を生成する第２の権利情報生成手段と、
前記第２の権利情報及び前記第２の鍵を含む権利オブジェクトを生成する権利オブジェクト生成手段と、
前記権利オブジェクトであることを識別する権利オブジェクトを生成する権利オブジェクト識別情報生成手段と、
第３の鍵を生成するとともに生成した前記第３の鍵と受信装置識別情報と第２のＥＭＭを生成して暗号化し、第２のＥＭＭ情報を生成する第２のＥＭＭ生成手段と、
前記第１の鍵と前記権利オブジェクトと前記権利オブジェクト識別情報とを含む第２のＥＣＭを生成し、生成した前記第２のＥＣＭを前記第３の鍵によって暗号化して第２のＥＣＭ情報を生成する第２のＥＣＭ生成手段と、
前記第２のＥＣＭ情報と前記第２のＥＭＭ情報と前記第１の暗号化情報と前記第２の暗号化情報と前記第１の権利情報とを多重化して多重化情報を出力する多重化手段と、を有し、
前記受信装置は、
入力多重化情報を分離して、暗号化された第２のＥＣＭ情報と暗号化された第２のＥＭＭ情報と第１の暗号化情報と第２の暗号化情報とＰＭＴ情報とを出力する分離手段と、
前記第２のＥＭＭ情報から受信装置識別情報と第３の鍵を抽出する第２のＥＭＭ復号手段と、
前記第３の鍵を用いて前記第２のＥＣＭ情報から第２のＥＣＭを復号して権利オブジェクトと第１の鍵とを抽出する第２のＥＣＭ復号手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記ＰＭＴ情報から第１の権利情報を抽出する第１の権利情報抽出手段と、
前記第１の権利情報に基づき前記第１の鍵を用いて前記第１の暗号化情報を復号する第１の復号手段と、
前記第２の権利情報に基づき前記第２の鍵を用いて前記第２の暗号化情報を復号する第２の復号手段と、を有する送受信装置。
【請求項７】
入力ディジタル情報を第１の鍵で暗号化して第１の暗号化情報を生成する第１の暗号化手段と、
第２の鍵を生成する第２の鍵生成手段と、
第２の権利情報を生成する第２の権利情報生成手段と、
前記第２の権利情報及び前記第２の鍵を含む権利オブジェクトを生成する権利オブジェクト生成手段と、
前記権利オブジェクトであることを識別する権利オブジェクト識別情報を生成する権利オブジェクト識別情報生成手段と、
前記権利オブジェクトと前記権利オブジェクト識別情報と受信装置識別情報とを含む第３のＥＭＭ（Ｅｎｔｉｌｅｍｅｎｔ  Ｍａｎａｇｅｍｅｎｔ  Ｍｅｓｓａｇｅ）を生成し暗号化して第３のＥＭＭ情報を生成する第３のＥＭＭ生成手段と、
前記第１の鍵を含む第３のＥＣＭ（Ｅｎｔｉｌｅｍｅｎｔ  Ｃｏｎｔｒｏｌ  Ｍｅｓｓａｇｅ）を生成し、生成した前記第３のＥＣＭを前記第２の鍵で暗号化して第３のＥＣＭ情報を生成する第３のＥＣＭ生成手段と、
前記第３のＥＣＭ情報と前記第３のＥＭＭ情報と前記第１の暗号化情報とを多重化して多重化情報を出力する多重化手段と、を具備する送信装置。
【請求項８】
入力ディジタル情報を第１の鍵で暗号化して第１の暗号化情報を生成する第１の暗号化手段と、
第２の鍵を生成する第２の鍵生成手段と、
第２の権利情報を生成する第２の権利情報生成手段と、
前記第２の権利情報及び前記第２の鍵を含む権利オブジェクトを生成する権利オブジェクト生成手段と、
受信装置識別情報を含む第４のＥＭＭ（Ｅｎｔｉｌｅｍｅｎｔ  Ｍａｎａｇｅｍｅｎｔ  Ｍｅｓｓａｇｅ）を生成し暗号化して第４のＥＭＭ情報を生成する第４のＥＭＭ生成手段と、
前記第１の鍵を含む第３のＥＣＭ（Ｅｎｔｉｌｅｍｅｎｔ  Ｃｏｎｔｒｏｌ  Ｍｅｓｓａｇｅ）を生成し、生成した前記第３のＥＣＭを前記第２の鍵で暗号化して第３のＥＣＭ情報を生成する第３のＥＣＭ生成手段と、
前記第３のＥＣＭ情報と前記第４のＥＭＭ情報と前記第１の暗号化情報とを多重化して多重化情報を出力する多重化手段と、
前記権利オブジェクトを送る相手先の認証を行う第１の認証手段と、
前記第１の認証手段の認証情報を送受信するとともに前記権利オブジェクトを送信する第１の通信手段と、を具備する送信装置。
【請求項９】
入力ディジタル情報を第１の鍵で暗号化して第１の暗号化情報を生成する第１の暗号化手段と、
第２の鍵を生成する第２の鍵生成手段と、
第１の権利情報を生成する第１の権利情報生成手段と
第２の権利情報を生成する第２の権利情報生成手段と、
前記第２の権利情報及び前記第２の鍵を含む権利オブジェクトを生成する権利オブジェクト生成手段と、
受信装置識別情報と第２の鍵を含む第５のＥＭＭ（Ｅｎｔｉｌｅｍｅｎｔ  Ｍａｎａｇｅｍｅｎｔ  Ｍｅｓｓａｇｅ）を生成し暗号化して第５のＥＭＭ情報を生成する第５のＥＭＭ生成手段と、
前記第２の鍵を含む第３のＥＣＭ（Ｅｎｔｉｌｅｍｅｎｔ  Ｃｏｎｔｒｏｌ  Ｍｅｓｓａｇｅ）を生成し、生成した前記第３のＥＣＭを前記第２の鍵で暗号化して第３のＥＣＭ情報を生成する第３のＥＣＭ生成手段と、
前記第３のＥＣＭ情報と前記第５のＥＭＭ情報と前記第１の暗号化情報と前記第１の権利情報とを多重化して多重化情報を出力する多重化手段と、
前記権利オブジェクトを送る相手先の認証を行う第１の認証手段と、
前記第１の認証手段の認証情報を送受信するとともに前記権利オブジェクトを送信する第１の通信手段と、を具備する送信装置。
【請求項１０】
入力多重化情報を分離して、暗号化された第３のＥＣＭ情報と暗号化された第３のＥＭＭ情報と第１の暗号化情報を出力する分離手段と、
前記第３のＥＭＭ情報から受信装置識別情報と権利オブジェクトとを抽出する第３のＥＭＭ復号手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記第２の鍵を用いて前記第３のＥＣＭ情報から第３のＥＣＭを復号して第１の鍵を出力する第３のＥＣＭ復号手段と、
前記第２の権利情報に基づき前記第１の鍵を用いて前記第１の暗号化情報を復号する第３の復号手段と、を具備する受信装置。
【請求項１１】
入力多重化情報を分離して、暗号化された第４のＥＣＭ情報と暗号化された第４のＥＭＭ情報と第１の暗号化情報とを出力する分離手段と、
前記第４のＥＭＭ情報から受信装置識別情報を抽出する第４のＥＭＭ復号手段と、
権利オブジェクトを受信する相手先の認証を行う第２の認証手段と、
前記第２の認証手段の認証情報を送受信するとともに前記権利オブジェクトを受信する第２の通信手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記第２の鍵を用いて前記第４のＥＣＭ情報から第４のＥＣＭを復号して第１の鍵を出力する第４のＥＣＭ復号手段と、
前記第２の権利情報に基づき前記第１の鍵を用いて前記第１の暗号化情報を復号する第３の復号手段と、を具備する受信装置。
【請求項１２】
入力多重化情報を分離して、暗号化された第３のＥＣＭ情報と暗号化された第３のＥＭＭ情報と第１の暗号化情報とを出力する分離手段と、
前記第３のＥＭＭ情報から受信装置識別情報と権利オブジェクトとを抽出する第３のＥＭＭ復号手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記第２の鍵を用いて前記第３のＥＣＭ情報から第３のＥＣＭを復号して第１の鍵を出力する第３のＥＣＭ復号手段と、
前記第２の権利情報に基づき前記第１の鍵を用いて前記第１の暗号化情報を復号する第３の復号手段と、
前記入力多重化情報と前記権利オブジェクトとを出力する第１の出力手段と、を具備する受信装置。
【請求項１３】
入力多重化情報を分離して、暗号化された第３のＥＣＭ情報と暗号化された第５のＥＭＭ情報と第１の暗号化情報とＰＭＴ情報とを出力する分離手段と、
前記第５のＥＭＭ情報から受信装置識別情報と第２の鍵を抽出する第５のＥＭＭ復号手段と、
前記ＰＭＴ情報から第１の権利情報を抽出する第１の権利情報抽出手段と、
前記第２の鍵を用いて前記第３のＥＣＭ情報から第３のＥＣＭを復号して第１の鍵を出力する第３のＥＣＭ復号手段と、
前記第１の権利情報に基づき前記第１の鍵を用いて前記第１の暗号化情報を復号する第１の復号手段と、
前記入力多重化情報を出力する第２の出力手段と、を具備する受信装置。
【請求項１４】
送信装置と受信装置と外部装置とを具備する送受信装置であって、
前記送信装置は、入力ディジタル情報を第１の鍵で暗号化して第１の暗号化情報を生成する第１の暗号化手段と、
第２の鍵を生成する第２の鍵生成手段と、
第１の権利情報を生成する第１の権利情報生成手段と
第２の権利情報を生成する第２の権利情報生成手段と、
前記第２の権利情報及び前記第２の鍵を含む権利オブジェクトを生成する権利オブジェクト生成手段と、
受信装置識別情報と第２の鍵を含む第５のＥＭＭ（Ｅｎｔｉｌｅｍｅｎｔ  Ｍａｎａｇｅｍｅｎｔ  Ｍｅｓｓａｇｅ）を生成し暗号化して第５のＥＭＭ情報を生成する第５のＥＭＭ生成手段と、
前記第２の鍵を含む第３のＥＣＭ（Ｅｎｔｉｌｅｍｅｎｔ  Ｃｏｎｔｒｏｌ  Ｍｅｓｓａｇｅ）を生成し、生成した前記第３のＥＣＭを前記第２の鍵で暗号化して第３のＥＣＭ情報を生成する第３のＥＣＭ生成手段と、
前記第３のＥＣＭ情報と前記第５のＥＭＭ情報と前記第１の暗号化情報と前記第１の権利情報とを多重化して多重化情報を出力する多重化手段と、
前記権利オブジェクトを送る相手先の認証を行う第１の認証手段と、
前記第１の認証手段の認証情報を送受信するとともに前記権利オブジェクトを送信する第１の通信手段と、を有し、
前記受信装置は、入力多重化情報を分離して、暗号化された第３のＥＣＭ情報と暗号化された第５のＥＭＭ情報と第１の暗号化情報とＰＭＴ情報とを出力する分離手段と、
前記第５のＥＭＭ情報から受信装置識別情報と第２の鍵を抽出する第４のＥＭＭ復号手段と、
前記ＰＭＴ情報から第１の権利情報を抽出する第１の権利情報抽出手段と、
前記第２の鍵を用いて前記第５のＥＣＭ情報から第５のＥＣＭを復号して第１の鍵を出力する第５のＥＣＭ復号手段と、
前記第１の権利情報に基づき前記第１の鍵を用いて前記第１の暗号化情報を復号する第１の復号手段と、
前記入力多重化情報を出力する第２の出力手段と、を有し、
前記外部装置は、権利オブジェクトを受信する相手先の認証を行う第３の認証手段と、
前記第３の認証手段の認証情報を送受信するとともに前記権利オブジェクトを受信する第３の通信手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記第２の鍵を用いて前記第３のＥＣＭ情報から第３のＥＣＭを復号して第１の鍵を出力する第３のＥＣＭ復号手段と、
前記第２の権利情報に基づき前記第１の鍵を用いて前記第１の暗号化情報を復号する第２の復号手段と、を有する送受信装置。
【発明の詳細な説明】
【技術分野】
【０００１】
本発明は、ディジタルオーディオビデオ情報を含むコンテンツ配信及び放送に関わる送信装置、受信装置及び送受信装置に関する。
【背景技術】
【０００２】
図８は、従来例における送信装置と受信装置を有する送受信装置の構成を示すブロック図である。図８に示す従来の送信装置１５００において、送信すべきＭＰＥＧ−２ビデオ（ＩＳＯ／ＩＥＣ１３８１８−２）に準拠したディジタルビデオビットストリーム１は、暗号化手段１５０４に入力される。この暗号化手段１５０４にはＥＣＭ／ＥＭＭ生成手段１５０１から鍵１５０３が入力される。従来例におけるＥＣＭ／ＥＭＭ生成手段１５０１は、限定受信情報を含む共通情報であるＥＣＭ（Ｅｎｔｉｌｅｍｅｎｔ  Ｃｏｎｔｒｏｌ  Ｍｅｓｓａｇｅ）と個別情報であるＥＭＭ（Ｅｎｔｉｔｌｅｍｅｎｔ  Ｍａｎａｇｅｍｅｎｔ  Ｍｅｓｓａｇｅ）とで構成されるＥＣＭ／ＥＭＭ情報１５０２及び鍵１５０３を抽出する。暗号化手段１５０４は鍵１５０３を用いてディジタルビデオビットストリーム１を暗号化し、暗号化ディジタルビデオビットストリーム１５０５を多重化手段１５０６へ出力する。多重化手段１５０６は暗号化ディジタルビデオビットストリーム１５０５とＥＣＭ／ＥＭＭ情報１５０２とをＭＰＥＧ−２  ＴＳ（Ｔｒａｎｓｐｏｒｔ  Ｓｔｒｅａｍ）に多重化して多重化情報１５０７を出力する。変調手段１５０８は多重化情報１５０７をＯＦＤＭ（直交周波数多重変調）によって変調し、送信装置１５００は生成された変調信号１５０９を受信装置１６００に送信する。
【０００３】
従来の受信装置１６００において、復調手段１６０１は変調信号１５０９を復調して多重化情報１６０２を出力する。分離手段１６０３は多重化情報１６０２からＥＣＭ／ＥＭＭ情報１６０４と暗号化ディジタルビデオビットストリーム１６０７とを出力する。ＥＣＭ／ＥＭＭ抽出手段１６０５は分離されたＥＣＭ／ＥＭＭ情報１６０４から鍵情報１６０６を抽出して、復号手段１６０８に供給する。復号手段１６０８は、鍵情報１６０６を用いて暗号化ディジタルビデオビットストリーム１６０７を復号し、出力ディジタルビデオビットストリーム１６０９を生成する。
【０００４】
図８に示す従来の送信装置１５００において、ディジタルビデオビットストリーム１は暗号化手段１５０４において鍵１５０３を用いて暗号化され、暗号化ディジタルビデオビットストリーム１５０５が生成されて、多重化手段１５０６に送られる。
また、従来のＥＣＭ／ＥＭＭ生成手段１５０１においては、番組の視聴可否についての情報と鍵１５０３とを含む共通情報ＥＣＭと、ＥＣＭの暗号を解くための情報と受信契約情報とを含む個別情報ＥＭＭとをあわせたＥＣＭ／ＥＭＭ情報１５０２が生成され多重化手段１５０６に送られる。暗号化ディジタルビデオビットストリーム１５０５とＥＣＭ／ＥＭＭ情報１５０２とは多重化手段１５０６によって多重化され、多重化情報１５０７として変調手段１５０８に入力される。変調手段１５０８においては、ＯＦＤＭ変調が施されて変調信号１５０９を生成し、出力する。
【０００５】
一方、従来の受信装置１６００において、復調手段１６０１は変調信号１５０９を復調して、多重化情報１６０２を出力する。分離手段１６０３は、復調された多重化情報１６０２から復調ＥＣＭ／ＥＭＭ情報１６０４と復調暗号化ディジタルビデオビットストリーム１６０７とを抽出する。ＥＣＭ／ＥＭＭ抽出手段１６０５は、分離されたＥＣＭ／ＥＭＭ情報１６０４から、鍵情報１６０６を抽出して復号手段１６０８に供給する。復号手段１６０８は、鍵情報１６０６を用いて暗号化ディジタルビデオビットストリーム１６０７を復号して出力ディジタルビデオビットストリーム１６０９を出力する。
【非特許文献１】米谷寿子、他２名、”デジタル放送に対応した限定受信システム”、東芝レビューＶｏｌ．５５、Ｎｏ．１２（２０００）、ｐ．２６−２９
【発明の開示】
【発明が解決しようとする課題】
【０００６】
前記の背景技術において説明した従来の送受信装置は、ＥＣＭ／ＥＭＭに基づくディジタル放送の中で使用する範囲に限定されている。しかしながら、携帯電話やＩＰ（Ｉｎｔｅｒｎｅｔ  Ｐｒｏｔｏｃｏｌ）伝送での使用が期待されるＯＭＡ（Ｏｐｅｎ  Ｍｏｂｉｌｅ  Ａｌｌｉａｎｃｅ）のＤＲＭでは、ＩＳＯ１４４９６−１２ファイルフォーマット形式で暗号化コンテンツとともに権利情報と鍵情報とを含む権利オブジェクト情報をファイル化したものとなっている。従って、ＯＭＡ  ＤＲＭで用いられているような権利オブジェクトを、背景技術で説明したディジタル放送で伝送することはできず、両者の互換性を実現することができなかった。
本発明は、上記課題を考慮し、ＥＣＭ／ＥＭＭによる保護の仕組みと権利オブジェクトによる保護の仕組みとの互換性を実現した送信装置、受信装置及び送受信装置を提供することを目的とするものである。
【課題を解決するための手段】
【０００７】
前述の課題を解決して目的を達成するために、本発明に係る第１の観点の送信装置は、
入力ディジタル情報を第１の鍵で暗号化して第１の暗号化情報を生成する第１の暗号化手段と、
第２の鍵を生成する第２の鍵生成手段と、
前記入力ディジタル情報を前記第２の鍵で暗号化して第２の暗号化情報を生成する第２の暗号化手段と、
第１の権利情報を生成する第１の権利情報生成手段と、
第２の権利情報を生成する第２の権利情報生成手段と、
前記第２の権利情報及び前記第２の鍵を含む権利オブジェクトを生成する権利オブジェクト生成手段と、
前記権利オブジェクトであることを識別する権利オブジェクトを生成する権利オブジェクト識別情報生成手段と、
第３の鍵を生成するとともに生成した前記第３の鍵と前記権利オブジェクトと前記権利オブジェクト識別情報と受信装置識別情報とを含む第１のＥＭＭ（Ｅｎｔｉｌｅｍｅｎｔ  Ｍａｎａｇｅｍｅｎｔ  Ｍｅｓｓａｇｅ）を生成し暗号化して第１のＥＭＭ情報を生成する第１のＥＭＭ生成手段と、
前記第１の鍵を含む第１のＥＣＭ（Ｅｎｔｉｌｅｍｅｎｔ  Ｃｏｎｔｒｏｌ  Ｍｅｓｓａｇｅ）を生成し、生成した前記第１のＥＣＭを前記第３の鍵で暗号化して第１のＥＣＭ情報を生成する第１のＥＣＭ生成手段と、
前記第１のＥＣＭ情報と前記第１のＥＭＭ情報と前記第１の暗号化情報と前記第２の暗号化情報と前記第１の権利情報とを多重化して多重化情報を出力する多重化手段と、を具備する。
【０００８】
本発明に係る第２の観点の送信装置は、入力ディジタル情報を第１の鍵で暗号化して第１の暗号化情報を生成する第１の暗号化手段と、
第２の鍵を生成する第２の鍵生成手段と、
第１の権利情報を生成する第１の権利情報生成手段と、
前記入力ディジタル情報を前記第２の鍵で暗号化して第２の暗号化情報を生成する第２の暗号化手段と、
第２の権利情報を生成する第２の権利情報生成手段と、
前記第２の権利情報及び前記第２の鍵を含む権利オブジェクトを生成する権利オブジェクト生成手段と、
前記権利オブジェクトであることを識別する権利オブジェクト識別情報を生成する権利オブジェクト識別情報生成手段と、
第３の鍵を生成するとともに生成した前記第３の鍵と受信装置識別情報と第２のＥＭＭを生成して暗号化し、第２のＥＭＭ情報を生成する第２のＥＭＭ生成手段と、
前記第１の鍵と前記権利オブジェクトと前記権利オブジェクト識別情報とを含む第２のＥＣＭを生成し、生成した前記第２のＥＣＭを前記第３の鍵によって暗号化して第２のＥＣＭ情報を生成する第２のＥＣＭ生成手段と、
前記第２のＥＣＭ情報と前記第２のＥＭＭ情報と前記第１の暗号化情報と前記第２の暗号化情報と前記第１の権利情報とを多重化して多重化情報を出力する多重化手段と、を具備する。
【０００９】
本発明に係る第３の観点の受信装置は、入力多重化情報を分離して、暗号化された第１のＥＣＭ情報と暗号化された第１のＥＭＭ情報と第１の暗号化情報と第２の暗号化情報とＰＭＴ情報とを出力する分離手段と、
前記第１のＥＭＭ情報から受信装置識別情報と権利オブジェクトと第３の鍵とを抽出する第１のＥＭＭ復号手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記第３の鍵を用いて前記第１のＥＣＭ情報から第１のＥＣＭを復号して第１の鍵を出力する第１のＥＣＭ復号手段と、
前記ＰＭＴ情報から第１の権利情報を抽出する第１の権利情報抽出手段と、
前記第１の権利情報に基づき前記第１の鍵を用いて前記第１の暗号化情報を復号する第１の復号手段と、
前記第２の権利情報に基づき前記第２の鍵を用いて前記第２の暗号化情報を復号する第２の復号手段と、を具備する。
【００１０】
本発明に係る第４の観点の受信装置は、入力多重化情報を分離して、暗号化された第２のＥＣＭ情報と暗号化された第２のＥＭＭ情報と第１の暗号化情報と第２の暗号化情報とＰＭＴ情報とを出力する分離手段と、
前記第２のＥＭＭ情報から受信装置識別情報と第３の鍵を抽出する第２のＥＭＭ復号手段と、
前記第３の鍵を用いて前記第２のＥＣＭ情報から第２のＥＣＭを復号して権利オブジェクトと第１の鍵とを抽出する第２のＥＣＭ復号手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記ＰＭＴ情報から第１の権利情報を抽出する第１の権利情報抽出手段と、
前記第１の権利情報に基づき前記第１の鍵を用いて前記第１の暗号化情報を復号する第１の復号手段と、
前記第２の権利情報に基づき前記第２の鍵を用いて前記第２の暗号化情報を復号する第２の復号手段と、を具備する。
【００１１】
本発明に係る第５の観点の送受信装置は、送信装置と受信装置とを具備する送受信装置であって、
前記送信装置は、
入力ディジタル情報を第１の鍵で暗号化して第１の暗号化情報を生成する第１の暗号化手段と、
第２の鍵を生成する第２の鍵生成手段と、
前記入力ディジタル情報を前記第２の鍵で暗号化して第２の暗号化情報を生成する第２の暗号化手段と、
第１の権利情報を生成する第１の権利情報生成手段と、
第２の権利情報を生成する第２の権利情報生成手段と、
前記第２の権利情報及び前記第２の鍵を含む権利オブジェクトを生成する権利オブジェクト生成手段と、
前記権利オブジェクトであることを識別する権利オブジェクト識別情報を生成する権利オブジェクト識別情報生成手段と、
第３の鍵を生成するとともに生成した前記第３の鍵と前記権利オブジェクトと前記権利オブジェクト識別情報と受信装置識別情報とを含む第１のＥＭＭ（Ｅｎｔｉｌｅｍｅｎｔ  Ｍａｎａｇｅｍｅｎｔ  Ｍｅｓｓａｇｅ）を生成し暗号化して第１のＥＭＭ情報を生成する第１のＥＭＭ生成手段と、
前記第１の鍵を含む第１のＥＣＭ（Ｅｎｔｉｌｅｍｅｎｔ  Ｃｏｎｔｒｏｌ  Ｍｅｓｓａｇｅ）を生成し、生成した前記第１のＥＣＭを前記第３の鍵で暗号化して第１のＥＣＭ情報を生成する第１のＥＣＭ生成手段と、
前記第１のＥＣＭ情報と前記第１のＥＭＭ情報と前記第１の暗号化情報と前記第２の暗号化情報と前記第１の権利情報とを多重化して多重化情報を出力する多重化手段と、を有し、
前記受信装置は、
入力多重化情報を分離して、暗号化された第１のＥＣＭ情報と暗号化された第１のＥＭＭ情報と第１の暗号化情報と第２の暗号化情報とＰＭＴ情報とを出力する分離手段と、
前記第１のＥＭＭ情報から受信装置識別情報と権利オブジェクトと第３の鍵とを抽出する第１のＥＭＭ復号手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記第３の鍵を用いて前記第１のＥＣＭ情報から第１のＥＣＭを復号して第１の鍵を出力する第１のＥＣＭ復号手段と、
前記ＰＭＴ情報から第１の権利情報を抽出する第１の権利情報抽出手段と、
前記第１の権利情報に基づき前記第１の鍵を用いて前記第１の暗号化情報を復号する第１の復号手段と、
前記第２の権利情報に基づき前記第２の鍵を用いて前記第２の暗号化情報を復号する第２の復号手段と、を有する。
【００１２】
本発明に係る第６の観点の送受信装置は、送信装置と受信装置を具備する送受信装置であって、
前記送信装置は、
入力ディジタル情報を第１の鍵で暗号化して第１の暗号化情報を生成する第１の暗号化手段と、
第２の鍵を生成する第２の鍵生成手段と、
第１の権利情報を生成する第１の権利情報生成手段と、
前記入力ディジタル情報を前記第２の鍵で暗号化して第２の暗号化情報を生成する第２の暗号化手段と、
第２の権利情報を生成する第２の権利情報生成手段と、
前記第２の権利情報及び前記第２の鍵を含む権利オブジェクトを生成する権利オブジェクト生成手段と、
前記権利オブジェクトであることを識別する権利オブジェクト識別情報を生成する権利オブジェクト識別情報生成手段と、
第３の鍵を生成するとともに生成した前記第３の鍵と受信装置識別情報と第２のＥＭＭを生成して暗号化し、第２のＥＭＭ情報を生成する第２のＥＭＭ生成手段と、
前記第１の鍵と前記権利オブジェクトと前記権利オブジェクト識別情報とを含む第２のＥＣＭを生成し、生成した前記第２のＥＣＭを前記第３の鍵によって暗号化して第２のＥＣＭ情報を生成する第２のＥＣＭ生成手段と、
前記第２のＥＣＭ情報と前記第２のＥＭＭ情報と前記第１の暗号化情報と前記第２の暗号化情報と前記第１の権利情報とを多重化して多重化情報を出力する多重化手段と、を有し、
前記受信装置は、
入力多重化情報を分離して、暗号化された第２のＥＣＭ情報と暗号化された第２のＥＭＭ情報と第１の暗号化情報と第２の暗号化情報とＰＭＴ情報とを出力する分離手段と、
前記第２のＥＭＭ情報から受信装置識別情報と第３の鍵を抽出する第２のＥＭＭ復号手段と、
前記第３の鍵を用いて前記第２のＥＣＭ情報から第２のＥＣＭを復号して権利オブジェクトと第１の鍵とを抽出する第２のＥＣＭ復号手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記ＰＭＴ情報から第１の権利情報を抽出する第１の権利情報抽出手段と、
前記第１の権利情報に基づき前記第１の鍵を用いて前記第１の暗号化情報を復号する第１の復号手段と、
前記第２の権利情報に基づき前記第２の鍵を用いて前記第２の暗号化情報を復号する第２の復号手段と、を有する。
【００１３】
本発明に係る第７の観点の送信装置は、入力ディジタル情報を第１の鍵で暗号化して第１の暗号化情報を生成する第１の暗号化手段と、
第２の鍵を生成する第２の鍵生成手段と、
第２の権利情報を生成する第２の権利情報生成手段と、
前記第２の権利情報及び前記第２の鍵を含む権利オブジェクトを生成する権利オブジェクト生成手段と、
前記権利オブジェクトであることを識別する権利オブジェクト識別情報を生成する権利オブジェクト識別情報生成手段と、
前記権利オブジェクトと前記権利オブジェクト識別情報と受信装置識別情報とを含む第３のＥＭＭ（Ｅｎｔｉｌｅｍｅｎｔ  Ｍａｎａｇｅｍｅｎｔ  Ｍｅｓｓａｇｅ）を生成し暗号化して第３のＥＭＭ情報を生成する第３のＥＭＭ生成手段と、
前記第１の鍵を含む第３のＥＣＭ（Ｅｎｔｉｌｅｍｅｎｔ  Ｃｏｎｔｒｏｌ  Ｍｅｓｓａｇｅ）を生成し、生成した前記第３のＥＣＭを前記第２の鍵で暗号化して第３のＥＣＭ情報を生成する第３のＥＣＭ生成手段と、
前記第３のＥＣＭ情報と前記第３のＥＭＭ情報と前記第１の暗号化情報とを多重化して多重化情報を出力する多重化手段と、を具備する。
【００１４】
本発明に係る第８の観点の送信装置は、入力ディジタル情報を第１の鍵で暗号化して第１の暗号化情報を生成する第１の暗号化手段と、
第２の鍵を生成する第２の鍵生成手段と、
第２の権利情報を生成する第２の権利情報生成手段と、
前記第２の権利情報及び前記第２の鍵を含む権利オブジェクトを生成する権利オブジェクト生成手段と、
受信装置識別情報を含む第４のＥＭＭ（Ｅｎｔｉｌｅｍｅｎｔ  Ｍａｎａｇｅｍｅｎｔ  Ｍｅｓｓａｇｅ）を生成し暗号化して第４のＥＭＭ情報を生成する第４のＥＭＭ生成手段と、
前記第１の鍵を含む第３のＥＣＭ（Ｅｎｔｉｌｅｍｅｎｔ  Ｃｏｎｔｒｏｌ  Ｍｅｓｓａｇｅ）を生成し、生成した前記第３のＥＣＭを前記第２の鍵で暗号化して第３のＥＣＭ情報を生成する第３のＥＣＭ生成手段と、
前記第３のＥＣＭ情報と前記第４のＥＭＭ情報と前記第１の暗号化情報とを多重化して多重化情報を出力する多重化手段と、
前記権利オブジェクトを送る相手先の認証を行う第１の認証手段と、
前記第１の認証手段の認証情報を送受信するとともに前記権利オブジェクトを送信する第１の通信手段と、を具備する。
【００１５】
本発明に係る第９の観点の送信装置は、  入力ディジタル情報を第１の鍵で暗号化して第１の暗号化情報を生成する第１の暗号化手段と、
第２の鍵を生成する第２の鍵生成手段と、
第１の権利情報を生成する第１の権利情報生成手段と
第２の権利情報を生成する第２の権利情報生成手段と、
前記第２の権利情報及び前記第２の鍵を含む権利オブジェクトを生成する権利オブジェクト生成手段と、
受信装置識別情報と第２の鍵を含む第５のＥＭＭ（Ｅｎｔｉｌｅｍｅｎｔ  Ｍａｎａｇｅｍｅｎｔ  Ｍｅｓｓａｇｅ）を生成し暗号化して第５のＥＭＭ情報を生成する第５のＥＭＭ生成手段と、
前記第２の鍵を含む第３のＥＣＭ（Ｅｎｔｉｌｅｍｅｎｔ  Ｃｏｎｔｒｏｌ  Ｍｅｓｓａｇｅ）を生成し、生成した前記第３のＥＣＭを前記第２の鍵で暗号化して第３のＥＣＭ情報を生成する第３のＥＣＭ生成手段と、
前記第３のＥＣＭ情報と前記第５のＥＭＭ情報と前記第１の暗号化情報と前記第１の権利情報とを多重化して多重化情報を出力する多重化手段と、
前記権利オブジェクトを送る相手先の認証を行う第１の認証手段と、
前記第１の認証手段の認証情報を送受信するとともに前記権利オブジェクトを送信する第１の通信手段と、を具備する。
【００１６】
本発明に係る第１０の観点の受信装置は、  入力多重化情報を分離して、暗号化された第３のＥＣＭ情報と暗号化された第３のＥＭＭ情報と第１の暗号化情報を出力する分離手段と、
前記第３のＥＭＭ情報から受信装置識別情報と権利オブジェクトとを抽出する第３のＥＭＭ復号手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記第２の鍵を用いて前記第３のＥＣＭ情報から第３のＥＣＭを復号して第１の鍵を出力する第３のＥＣＭ復号手段と、
前記第２の権利情報に基づき前記第１の鍵を用いて前記第１の暗号化情報を復号する第３の復号手段と、を具備する。
【００１７】
本発明に係る第１１の観点の受信装置は、入力多重化情報を分離して、暗号化された第４のＥＣＭ情報と暗号化された第４のＥＭＭ情報と第１の暗号化情報とを出力する分離手段と、
前記第４のＥＭＭ情報から受信装置識別情報を抽出する第４のＥＭＭ復号手段と、
権利オブジェクトを受信する相手先の認証を行う第２の認証手段と、
前記第２の認証手段の認証情報を送受信するとともに前記権利オブジェクトを受信する第２の通信手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記第２の鍵を用いて前記第４のＥＣＭ情報から第４のＥＣＭを復号して第１の鍵を出力する第４のＥＣＭ復号手段と、
前記第２の権利情報に基づき前記第１の鍵を用いて前記第１の暗号化情報を復号する第３の復号手段と、を具備する。
【００１８】
本発明に係る第１２の観点の受信装置は、  入力多重化情報を分離して、暗号化された第３のＥＣＭ情報と暗号化された第３のＥＭＭ情報と第１の暗号化情報とを出力する分離手段と、
前記第３のＥＭＭ情報から受信装置識別情報と権利オブジェクトとを抽出する第３のＥＭＭ復号手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記第２の鍵を用いて前記第３のＥＣＭ情報から第３のＥＣＭを復号して第１の鍵を出力する第３のＥＣＭ復号手段と、
前記第２の権利情報に基づき前記第１の鍵を用いて前記第１の暗号化情報を復号する第３の復号手段と、
前記入力多重化情報と前記権利オブジェクトとを出力する第１の出力手段と、を具備する。
【００１９】
本発明に係る第１３の観点の受信装置は、入力多重化情報を分離して、暗号化された第３のＥＣＭ情報と暗号化された第５のＥＭＭ情報と第１の暗号化情報とＰＭＴ情報とを出力する分離手段と、
前記第５のＥＭＭ情報から受信装置識別情報と第２の鍵を抽出する第５のＥＭＭ復号手段と、
前記ＰＭＴ情報から第１の権利情報を抽出する第１の権利情報抽出手段と、
前記第２の鍵を用いて前記第３のＥＣＭ情報から第３のＥＣＭを復号して第１の鍵を出力する第３のＥＣＭ復号手段と、
前記第１の権利情報に基づき前記第１の鍵を用いて前記第１の暗号化情報を復号する第１の復号手段と、
前記入力多重化情報を出力する第２の出力手段と、を具備する。
【００２０】
本発明に係る第１４の観点の送受信装置は、送信装置と受信装置と外部装置とを具備する送受信装置であって、
前記送信装置は、入力ディジタル情報を第１の鍵で暗号化して第１の暗号化情報を生成する第１の暗号化手段と、
第２の鍵を生成する第２の鍵生成手段と、
第１の権利情報を生成する第１の権利情報生成手段と
第２の権利情報を生成する第２の権利情報生成手段と、
前記第２の権利情報及び前記第２の鍵を含む権利オブジェクトを生成する権利オブジェクト生成手段と、
受信装置識別情報と第２の鍵を含む第５のＥＭＭ（Ｅｎｔｉｌｅｍｅｎｔ  Ｍａｎａｇｅｍｅｎｔ  Ｍｅｓｓａｇｅ）を生成し暗号化して第５のＥＭＭ情報を生成する第５のＥＭＭ生成手段と、
前記第２の鍵を含む第３のＥＣＭ（Ｅｎｔｉｌｅｍｅｎｔ  Ｃｏｎｔｒｏｌ  Ｍｅｓｓａｇｅ）を生成し、生成した前記第３のＥＣＭを前記第２の鍵で暗号化して第３のＥＣＭ情報を生成する第３のＥＣＭ生成手段と、
前記第３のＥＣＭ情報と前記第５のＥＭＭ情報と前記第１の暗号化情報と前記第１の権利情報とを多重化して多重化情報を出力する多重化手段と、
前記権利オブジェクトを送る相手先の認証を行う第１の認証手段と、
前記第１の認証手段の認証情報を送受信するとともに前記権利オブジェクトを送信する第１の通信手段と、を有し、
前記受信装置は、入力多重化情報を分離して、暗号化された第３のＥＣＭ情報と暗号化された第５のＥＭＭ情報と第１の暗号化情報とＰＭＴ情報とを出力する分離手段と、
前記第５のＥＭＭ情報から受信装置識別情報と第２の鍵を抽出する第４のＥＭＭ復号手段と、
前記ＰＭＴ情報から第１の権利情報を抽出する第１の権利情報抽出手段と、
前記第２の鍵を用いて前記第５のＥＣＭ情報から第５のＥＣＭを復号して第１の鍵を出力する第５のＥＣＭ復号手段と、
前記第１の権利情報に基づき前記第１の鍵を用いて前記第１の暗号化情報を復号する第１の復号手段と、
前記入力多重化情報を出力する第２の出力手段と、を有し、
前記外部装置は、権利オブジェクトを受信する相手先の認証を行う第３の認証手段と、
前記第３の認証手段の認証情報を送受信するとともに前記権利オブジェクトを受信する第３の通信手段と、
前記権利オブジェクトから第２の鍵と第２の権利情報データとを抽出する権利オブジェクト分離手段と、
前記第２の権利情報データから第２の権利情報を抽出する第２の権利情報解読手段と、
前記第２の鍵を用いて前記第３のＥＣＭ情報から第３のＥＣＭを復号して第１の鍵を出力する第３のＥＣＭ復号手段と、
前記第２の権利情報に基づき前記第１の鍵を用いて前記第１の暗号化情報を復号する第２の復号手段と、を具備する。
【発明の効果】
【００２１】
本発明に係る送信装置、受信装置及び送受信装置においては、ＥＣＭ／ＥＭＭによる保護の仕組みとＯＭＡ  ＤＲＭで用いられているような権利オブジェクトによる保護の仕組みとの互換性を実現するという従来にない格別の効果を有する。
【発明を実施するための最良の形態】
【００２２】
以下、本発明に係る送信装置、受信装置及び送受信装置の好適な実施の形態について添付の図１及び図２を用いて説明する。
【００２３】
（実施の形態１）
図１は、本発明に係る実施の形態１の送信装置１００と受信装置２００を有する送受信装置の構成を示すブロック図である。
図１に示す実施の形態１の送信装置１００は例えばオペレータによって運用されるビデオサーバであり、入力ディジタル情報であるディジタルビデオビットストリーム１は、第１の暗号化手段２において第１の鍵５を用いて暗号化されて、第１の暗号化情報である第１の暗号化ディジタルビデオビットストリーム３が生成される。生成された第１の暗号化ディジタルビデオビットストリーム３は、多重化手段３０に送られる。また、ディジタルビデオビットストリーム１は第２の暗号化手段２８において第２の鍵１１を用いて暗号化されて、第２の暗号化情報である第２の暗号化ディジタルビデオビットストリーム２９が生成される。そして、生成された第２の暗号化ディジタルビデオビットストリーム２９は多重化手段３０に送られる。
実施の形態１の送信装置には、さらに、第１の鍵５と暗号化された第１のＥＣＭ情報７を抽出生成する第１のＥＣＭ生成手段６と、第１の権利情報９を生成する第１の権利情報生成手段８と、第２の鍵１１を生成する第２の鍵生成手段１０と、第２の権利情報１３を生成する第２の権利情報生成手段１２と、権利オブジェクト１５を生成する権利オブジェクト生成手段１４と、権利オブジェクト識別情報１７を生成する権利オブジェクト識別情報生成手段１６と、権利オブジェクト１５と権利オブジェクト識別情報１７を含み暗号化された第１のＥＭＭ情報１９と第３の鍵２０を生成する第１のＥＭＭ生成手段１８と、多重化手段３０からの第１の多重化情報３１をＯＦＤＭ（直交周波数多重変調）によって変調する変調手段３２と、が設けられている。
【００２４】
一方、受信装置２００は、消費者側のセットトップボックスであり、復調手段４９は受信した第１の変調信号３３を復調して、第１の多重化情報５０を分離手段５１に供給する。分離手段５１は、第１の多重化情報５０から第１のＥＭＭ情報５２と第１のＥＣＭ情報５５とＰＭＴ（Ｐｒｏｇｒａｍ  Ｍａｐ  Ｔａｂｌｅ）情報５９と第１の暗号化情報である第１の暗号化ディジタルビデオビットストリーム６２と第２の暗号化情報である第２の暗号化ディジタルビデオビットストリーム７９を分離する。また、受信装置２００には、第１のＥＭＭ情報５２が入力される第１のＥＭＭ復号手段５３と、第１のＥＭＭ復号手段５３が抽出した第３の鍵５４が供給され第１の鍵５８を抽出する第１のＥＣＭ復号手段５７と、第１のＥＭＭ復号手段５３からの権利オブジェクト７１が入力されて第２の鍵７３と第２の権利情報データ７６とを分離する権利オブジェクト分離手段７２と、第２の権利情報データ７６から第２の権利情報７８を抽出する第２の権利情報解読手段７７と、第２の鍵７３と第２の権利情報７８とに基づいて第２の暗号化ディジタルビデオビットストリーム７９を復号して第２のディジタルビデオビットストリーム８１を出力する第２の復号手段８０と、ＰＭＴ情報５９から第１の権利情報６１を抽出する第１の権利情報抽出手段６０と、分離された第１の暗号化ディジタルビデオビットストリーム６２を第１の鍵５８と第１の権利情報６１とに基づいて復号し、第１のディジタルビデオビットストリーム６４を出力する第１の復号手段６３と、が設けられている。
【００２５】
図１に示す送信装置１００において、入力ディジタル情報であるディジタルビデオビットストリーム１は、第１のＥＣＭ生成手段６によって生成された第１の鍵５を用いて第１の暗号化手段２によって暗号化され、第１の暗号化ディジタルビデオビットストリーム３として出力される。
第１のＥＣＭ生成手段６によって生成される第１のＥＣＭの構造を表１に示す。表１に示すように、第１のＥＣＭにおいては、ＥＣＭセクションヘッダに続き、ＥＣＭが格納されている。ＥＣＭは、固定部、可変部によって構成される。固定部には、プロトコル番号、事業体識別情報に続いて、第１の鍵５が格納されている。
【００２６】
【表１】
2009027681.tif 000003
【００２７】
第１のＥＭＭ生成手段１８によって生成される第３の鍵２０によって第１のＥＣＭを暗号化することにより第１のＥＣＭ情報７が生成され、多重化手段３０に送られる。
第１の権利情報生成手段８は、第１の権利情報９を生成して多重化手段３０に送る。多重化手段３０は、第１の権利情報９をＰＭＴ（Ｐｒｏｇｒａｍ  Ｍａｐ  Ｔａｂｌｅ）情報に格納して多重化する。第１の権利情報９は、コピー制御情報ＣＣＩ（Ｃｏｐｙ  Ｃｏｎｔｒｏｌ  Ｉｎｆｏｒｍａｔｉｏｎ）であり、２ビットによってコピー制御を行い、コピーフリー、一世代コピー、コピーノーモア、コピー禁止の情報を含んでいる。この場合、第１の権利情報９はＰＭＴに多重されるのでクリアテキスト形式となっており、保護されていない。
【００２８】
一方、ディジタルビデオビットストリーム１は、第２の鍵生成手段１０によって生成された第２の鍵１１を用いて第２の暗号化手段２８によって暗号化され、第２の暗号化ディジタルビデオビットストリーム２９として出力される。第２の鍵１１は権利オブジェクト生成手段１４に送られる。第２の権利情報生成手段１２は第２の権利情報１３を生成して権利オブジェクト生成手段１４に送る。第２の権利情報１３はＸＭＬ（ｅＸｔｅｎｓｉｂｌｅ  Ｍａｒｋｕｐ  Ｌａｎｇｕａｇｅ）で記述されているものとする。権利オブジェクト生成手段１４は、第２の鍵１１と第２の権利情報１３を含む権利オブジェクト情報１５を生成して第１のＥＭＭ生成手段１８に送る。
【００２９】
権利オブジェクト識別情報生成手段１６によって権利オブジェクトであることを示す権利オブジェクト識別情報１７が生成されて第１のＥＭＭ生成手段１８に加えられる。第１のＥＭＭ生成手段１８は、権利オブジェクト識別情報１７と権利オブジェクト１５を含む第１のＥＭＭを暗号化して第１のＥＭＭ情報１９を生成して、多重化手段３０に送る。第２の権利情報１３は第１のＥＭＭの１部として暗号化され保護されることになる。
【００３０】
表２に第１のＥＭＭの構造を示す。表２に示すように、第１のＥＭＭにおいては、ＥＭＭセクションヘッダに続き、ＥＭＭ１〜ＥＭＭｎのデータが格納されている。ＥＭＭ１は、固定部と可変部とに分かれる。固定部には、受信契約情報である受信装置２００のカードＩＤ（受信装置識別情報）、関連情報のバイト長、プロトコル番号、限定受信放送運用上の事業体を識別するコードである事業体識別情報、更新する時に増加する番号である更新番号、有効期限情報が格納されている。可変部に、ディスクリプタ”ＥｎｃＫｅｙ  ｄｅｓｃｒｉｐｔｏｒ“を記述し、第３の鍵を格納する。また、権利オブジェクト識別情報１７に相当するディスクリプタ”ＲＯ  ｄｅｓｃｒｉｐｔｏｒ”  を記述しその後に、第２の鍵と第２の権利情報とを含む権利オブジェクトを記述する。受信装置２００では、可変部において、ディスクリプタ”ＲＯ  ｄｅｓｃｒｉｐｔｏｒ”が記述されていれば、上記権利オブジェクトが存在することを知ることができる。
ＣＲＣ（Ｃｙｃｌｉｃ  Ｒｅｄｕｎｄａｎｃｙ  Ｃｏｄｅ）はチェック用コードである。
【００３１】
【表２】
2009027681.tif 000004
【００３２】
多重化手段３０は、第１の暗号化ディジタルビデオビットストリーム３、第２の暗号化ディジタルビデオビットストリーム２９、第１のＥＣＭ情報７、第１のＥＭＭ情報１９、及び第１の権利情報９を多重化して、その第１の多重化情報３１を変調手段３２に供給する。変調手段３２は第１の多重化情報３１に直交周波数多重変調を施して第１の変調信号３３を受信装置２００に出力する。
【００３３】
一方、受信装置２００においては、受信した第１の変調信号３３が復調手段４９によって復調されて第１の多重化情報５０を出力する。分離手段５１は、復調された第１の多重化情報５０から、第１のＥＭＭ情報５２と、第１のＥＣＭ情報５５と、ＰＭＴ情報５９と、第１の暗号化ディジタルビデオビットストリーム６２と、第２の暗号化ディジタルビデオビットストリーム７９とを分離する。第１の権利情報抽出手段６０はＰＭＴ情報５９から第１の権利情報６１を抽出して第１の復号手段６３に供給する。
【００３４】
第１のＥＭＭ情報５２は第１のＥＭＭ復号手段５３に加えられる。第１のＥＭＭ復号手段５３は表２に示される受信装置２００のカードＩＤ（受信装置識別情報）、関連情報のバイト長、プロトコル番号、限定受信放送運用上の事業体を識別するコードである事業体識別情報、更新する時に増加する番号である更新番号、有効期限情報を抽出するとともに、第１のＥＭＭの構造における可変部のディスクリプタ”ＥｎｃＫｅｙ  ｄｅｓｃｒｉｐｔｏｒ”を検出し、その後の第３の鍵５４を抽出して第１のＥＣＭ復号手段５７に加える。第１のＥＣＭ復号手段５７は、暗号化された第１のＥＣＭ情報５５を第３の鍵５４を用いて復号し、第１の鍵５８を出力する。
【００３５】
第１の復号手段６３は、第１の鍵５８と第１の権利情報６１とを用いて第１の暗号化ディジタルビデオビットストリーム６２を復号し、第１のディジタルビデオビットストリーム６４として出力する。
また、第１のＥＭＭ復号手段５３は、可変部のディスクリプタ”ＲＯ  ｄｅｓｃｒｉｐｔｏｒ”を検出して権利オブジェクト７１を抽出して権利オブジェクト分離手段７２に供給する。この場合、ディスクリプタ形式であるため、もし、”ＲＯ  ｄｅｓｃｒｉｐｔｏｒ”がなくても第１のＥＭＭ復号手段５３は“ＥｎｃＫｅｙ  ｄｅｓｃｒｉｐｔｏｒ”のみを処理するので誤動作は生じない。
【００３６】
権利オブジェクト分離手段７２は、第２の鍵７３を抽出して第２の復号手段８０に供給し、第２の権利情報データ７６を抽出して第２の権利情報解読手段７７に供給する。第２の権利情報解読手段７７は、ＸＭＬ表現の第２の権利情報データ７６から第２の権利情報７８を解読し、抽出して、第２の復号手段８０に供給する。
第２の復号手段８０は第２の鍵７３と第２の権利情報７８によって第２の暗号化ディジタルビデオビットストリーム７９を復号し、第２のディジタルビデオビットストリーム８１を出力する。
【００３７】
以上のように、受信装置２００において、ＰＭＴに格納した第１の権利情報６１とＥＣＭ／ＥＭＭ内に含まれた鍵情報とによる第１の暗号化ディジタルビデオビットストリーム６２の解読と、権利オブジェクト識別情報によって識別する権利オブジェクト７１を含むＥＣＭ／ＥＭＭに含まれる権利情報と鍵とによる第２の暗号化ディジタルビデオビットストリーム７９の解読とを両立させることができる。このため、本発明に係る実施の形態１の送受信装置においては、ＥＣＭ／ＥＭＭの枠組みによるコンテンツ保護と、ＯＭＡ  ＤＲＭのような権利オブジェクトを用いたコンテンツ保護との互換性を受信装置個別の保護の仕組みとして実現することができる。
【００３８】
（実施の形態２）
図２は、本発明に係る実施の形態２の送信装置３００と受信装置４００を有する送受信装置の構成を示すブロック図である。図２において、前述の実施の形態１の送受信装置と同じ機能、構成を有するものには同じ符号を付し、その説明は実施の形態１における説明を援用する。実施の形態２の送受信装置において、実施の形態１の送受信装置と大きく異なる点は、送信装置３００における第２のＥＣＭ生成手段２１と第２のＥＭＭ生成手段２３、及び受信装置４００における第２のＥＭＭ復号手段６７と第２のＥＣＭ復号手段６９の構成である。
【００３９】
実施の形態２の送受信装置における送信装置３００において、第２のＥＭＭ生成手段２３は第３の鍵２０と暗号化された第２のＥＭＭ情報２４を生成し、第３の鍵２０を第２のＥＣＭ生成手段２１に供給し、第２のＥＭＭ情報２４を多重化手段３０に供給する。第２のＥＣＭ生成手段２１は、権利オブジェクト１５と第３の鍵２０が入力されて、第１の鍵５と暗号化された第２のＥＣＭ情報２２を生成する。多重化手段３０は第２の多重化情報３４を生成して変調手段３２に供給する。変調手段３２においては、多重化情報３４が変調され第２の変調信号３６が生成され、受信装置４００に送信される。
【００４０】
一方、実施の形態２の送受信装置における受信装置４００において、受信された第２の変調信号３６が復調手段４９で復調され、復調された第２の多重化情報６５が分離手段５１に入力される。分離手段５１は、復調された第２の多重化情報６５からＰＭＴ（Ｐｒｏｇｒａｍ  Ｍａｐ  Ｔａｂｌｅ）情報５９と第１の暗号化ディジタルビデオビットストリーム６２と第２の暗号化ディジタルビデオビットストリーム７９、そして第２のＥＭＭ情報６６と第２のＥＣＭ情報６８とを抽出分離する。分離手段５１において分離された第２のＥＭＭ情報６６は、第２のＥＭＭ復号手段６７に送られ、第３の鍵５４が抽出される。第２のＥＭＭ復号手段６７が抽出した第３の鍵５４は、第２のＥＣＭ情報６８とともに第２のＥＣＭ復号手段６９に送られて、第１の鍵５８と権利オブジェクト７１が抽出される。
【００４１】
図２に示した送信装置３００においては、入力ディジタル情報であるディジタルビデオビットストリーム１が、第２のＥＣＭ生成手段２１によって生成された第１の鍵５を用いて第１の暗号化手段２によって暗号化され、第１の暗号化ディジタルビデオビットストリーム３として出力される。
【００４２】
第２の鍵１１は第２の鍵生成手段１０によって生成され、権利オブジェクト生成手段１４と第２の暗号化手段２８に送られる。第２の権利情報生成手段１２は第２の権利情報１３を生成して権利オブジェクト生成手段１４に供給する。権利オブジェクト生成手段１４は、第２の鍵１１と第２の権利情報１３を含む権利オブジェクト１５を生成して、第２のＥＣＭ生成手段２１に供給する。
【００４３】
権利オブジェクト識別情報生成手段１６によって権利オブジェクト１５であることを示す権利オブジェクト識別情報１７が生成されて、第２のＥＣＭ生成手段２１に加えられる。
第２のＥＣＭ生成手段２１によって生成される第２のＥＣＭの構造を表３に示す。表３に示すように、第２のＥＣＭにおいては、ＥＣＭセクションヘッダに続き、ＥＣＭが格納されている。ＥＣＭは、固定部、可変部によって構成される。固定部には、プロトコル番号、事業体識別情報に続き、第１の鍵５が格納されている。
【００４４】
可変部に、権利オブジェクト識別情報１７に相当する”ＲＯ  ｄｅｓｃｒｉｐｔｏｒ”  を記述し、その後に、第２の鍵１１と第２の権利情報１３とを含む権利オブジェクト１５を記述する。受信装置４００では、可変部において、”ＲＯ  ｄｅｓｃｒｉｐｔｏｒ”が記述されていれば、上記権利オブジェクトが存在することを知ることができる。権利オブジェクト１５は共通情報であるＥＣＭに格納されるので、実施の形態１とは異なり権利オブジェクト１５が共通情報として格納されていることになる。
【００４５】
【表３】
2009027681.tif 000005
【００４６】
第２のＥＣＭ生成手段２１は、権利オブジェクト１５と権利オブジェクト識別情報１７を含む第２のＥＣＭを、第２のＥＭＭ生成手段２３によって生成される第３の鍵２０によって暗号化して、第２のＥＣＭ情報２２を生成する。生成された第２のＥＣＭ情報２２は、多重化手段３０に送られる。
【００４７】
また、第２の鍵生成手段１０によって生成された第２の鍵１１は第２の暗号化手段２８に送られ、ディジタルビデオビットストリーム１の暗号化に用いられる。第２の暗号化手段２８において暗号化されたディジタルビデオビットストリーム１は、第２の暗号化ディジタルビデオビットストリーム２９として多重化手段３０に送られる。
【００４８】
表４に第２のＥＭＭの構造を示す。表４に示すように、第２のＥＭＭにおいては、ＥＭＭセクションヘッダに続き、ＥＭＭ１〜ＥＭＭｎのデータが格納されている。ＥＭＭ１は、固定部と可変部とに分かれている。固定部は、受信契約情報である受信装置４００のカードＩＤ（受信装置識別情報）、関連情報のバイト長、プロトコル番号、限定受信放送運用上の事業体を識別するコードである事業体識別情報、個別情報が更新する時に増加する番号である更新番号、個別情報の有効期限情報が格納されている。可変部に、“ＥｎｃＫｅｙ  ｄｅｓｃｒｉｐｔｏｒ”と記述し、その後に第３の鍵を格納する。
【００４９】
【表４】
2009027681.tif 000006
【００５０】
第１の権利情報生成手段８は、第１の権利情報９を生成して多重化手段３０に供給する。多重化手段３０は、第１の権利情報９をＰＭＴに多重する。ここで、第１の権利情報９は、コピー制御情報ＣＣＩ（Ｃｏｐｙ  Ｃｏｎｔｒｏｌ  Ｉｎｆｏｒｍａｔｉｏｎ）であり、２ビットによってコピー制御を行い、コピーフリー、一世代コピー、コピーノーモア、コピー禁止の情報を含んでいる。
【００５１】
多重化手段３０は、第１の暗号化ディジタルビデオビットストリーム３、第２の暗号化ディジタルビデオビットストリーム２９、第２のＥＣＭ情報２２、第２のＥＭＭ情報２４、及び第１の権利情報９を多重化して第２の多重化情報３４を生成し、生成された第２の多重化情報３４を変調手段３２に供給する。変調手段３２は第２の多重化情報３４に直交周波数多重変調を施して第２の変調信号３６を出力する。
【００５２】
一方、受信装置４００においては、受信した第２の変調信号３６が復調手段４９によって復調されて第２の多重化情報６５が生成される。生成された第２の多重化情報６５は分離手段５１に入力される。分離手段５１は、復調された第２の多重化情報６５から、第１の暗号化ディジタルビデオビットストリーム６２と、第２の暗号化ディジタルビデオビットストリーム７９と、ＰＭＴ情報５９と、第２のＥＭＭ情報６６と、第２のＥＣＭ情報６８とをそれぞれ分離する。第２のＥＭＭ情報６６は第２のＥＭＭ復号手段６７に送られる。第２のＥＭＭ復号手段６７は、表４に示す受信装置４００のカードＩＤ（受信装置識別情報）、関連情報のバイト長、プロトコル番号、限定受信放送運用上の事業体を識別するコードである事業体識別情報、更新する時に増加する番号である更新番号、有効期限情報を抽出するとともに、第２のＥＭＭの構造における可変部の”ＥｎｃＫｅｙ  ｄｅｓｃｒｉｐｔｏｒ”を検出し、その後の第３の鍵５４を抽出して第２のＥＣＭ復号手段６９に送られる。
【００５３】
第２のＥＣＭ復号手段６９は、第３の鍵５４を用いて、暗号化された第２のＥＣＭ情報６８を復号し第２のＥＣＭを得て、第１の鍵５８を第１の復号手段６３に送る。
第２のＥＣＭ復号手段６９は表３に示した第２のＥＣＭの構造における可変部において”ＲＯ  ｄｅｓｃｒｉｐｔｏｒ”を検出して権利オブジェクト７１を抽出して権利オブジェクト分離手段７２に加える。
【００５４】
権利オブジェクト分離手段７２は、第３の鍵７３を抽出して、第２の復号手段８０に送り、第２の権利情報データ７６を抽出して第２の権利情報解読手段７７に送る。第２の権利情報解読手段７７は第２の権利情報７８を抽出して第２の復号手段８０に供給する。
第２の復号手段８０は第３の鍵７３と第２の権利情報７８によって第２の暗号化ディジタルビデオビットストリーム７９を復号し第２のディジタルビデオビットストリーム８１を出力する。
【００５５】
以上のように、受信装置４００において、ＰＭＴに格納した第１の権利情報６１とＥＣＭ／ＥＭＭ内に含まれた鍵情報とによる第１の暗号化ディジタルビデオビットストリーム６２の解読と、権利オブジェクト識別情報によって識別する権利オブジェクト７１を含むＥＣＭ／ＥＭＭに含まれる権利情報と鍵とによる第２の暗号化ディジタルビデオビットストリーム７９の解読とを両立させることができる。このため、本発明に係る実施の形態２の送受信装置においては、ＥＣＭ／ＥＭＭの枠組みによるコンテンツ保護とＯＭＡ  ＤＲＭのような権利オブジェクトを用いたコンテンツ保護との互換性をサービス共通の仕組みとして実現することができる。
【００５６】
尚、上記実施の形態１及び実施の形態２において、権利オブジェクト自体として既に暗号化されたものを用いても同様に成立することは明らかである。
また、上記実施の形態１及び実施の形態２においては、ディジタルビデオビットストリームの場合について説明したが、ディジタルオーディオビットストリームにおいても同様に成立することは明らかである。
また、実施の形態１及び実施の形態２では、第１のディジタルビデオビットストリーム及び第２のディジタルビデオビットストリームが混在する場合を説明したが、第２のディジタルビデオビットストリームのみが存在する場合においても成立することは明らかである。
【００５７】
（実施の形態３）
図３は、本発明に係る実施の形態３の送信装置５００と受信装置６００を有する送受信装置の構成を示すブロック図である。なお、図３において、前述の各実施の形態における送受信装置と実質的に同様の機能、構成を有するものには同じ符号を付し、その説明は該当する実施の形態の説明を援用して、実施の形態３では詳細な説明は省略する。
図３に示す実施の形態３の送信装置５００において、入力ディジタル情報であるディジタルビデオビットストリーム１は、第１の暗号化手段２において第１の鍵５を用いて暗号化されて、第１の暗号化情報である第１の暗号化ディジタルビデオビットストリーム３が生成される。生成された第１の暗号化ディジタルビデオビットストリーム３は、多重化手段３０に送られる。
【００５８】
実施の形態３の送信装置には、さらに、第１の鍵５と暗号化された第３のＥＣＭ情報５０７を生成する第３のＥＣＭ生成手段５０６と、第２の鍵１１を生成する第２の鍵生成手段１０と、第２の権利情報１３を生成する第２の権利情報生成手段１２と、権利オブジェクト１５を生成する権利オブジェクト生成手段１４と、権利オブジェクト１５と権利オブジェクト識別情報１７とを含み暗号化された第３のＥＭＭ情報５１９を生成する第３のＥＭＭ生成手段５１８と、多重化手段３０からの第３の多重化情報５３１をＯＦＤＭ（直交周波数多重変調）によって変調する変調手段３２と、が設けられている。
【００５９】
一方、受信装置６００において、復調手段４９は受信した第３の変調信号５３３を復調して、第３の多重化情報６５０を分離手段５１に供給する。分離手段５１は、復調された第３の多重化情報６５０から第３のＥＭＭ情報６５２と第３のＥＣＭ情報６５５と第１の暗号化ディジタルビデオビットストリーム６２とを分離する。また、受信装置６００には、第３のＥＭＭ情報６５２が入力される第３のＥＭＭ復号手段６５３と、第３のＥＭＭ復号手段６５３からの権利オブジェクト６７１が入力されて第２の鍵７３と第２の権利情報データ７６とを分離する権利オブジェクト分離手段７２と、権利オブジェクト分離手段７２が分離した第２の鍵７３が供給され第１の鍵５８を抽出する第３のＥＣＭ復号手段６５７と、第２の権利情報データ７６から第２の権利情報７８を抽出する第２の権利情報解読手段７７と、分離された第１の暗号化ディジタルビデオビットストリーム６２を第１の鍵５８と第２の権利情報７８とに基づいて復号し、第１のディジタルビデオビットストリーム６４を出力する第３の復号手段６６３と、が設けられている。
【００６０】
図３に示す送信装置５００において、入力ディジタル情報であるディジタルビデオビットストリーム１は、第３のＥＣＭ生成手段５０６によって生成された第１の鍵５を用いて第１の暗号化手段２によって暗号化され、第１の暗号化ディジタルビデオビットストリーム３として多重化手段３０に送られる。
第３のＥＣＭ生成手段５０６によって生成される第３のＥＣＭの構造は表１と同様である。
第２の鍵生成手段１０によって生成される第２の鍵１１によって第３のＥＣＭを暗号化することにより第３のＥＣＭ情報５０７が生成され、多重化手段３０に送られる。
【００６１】
一方、第２の鍵生成手段１０によって生成された第２の鍵１１は権利オブジェクト生成手段１４に送られる。第２の権利情報生成手段１２は第２の権利情報１３を生成して権利オブジェクト生成手段１４に送る。第２の権利情報１３はＸＭＬ（ｅＸｔｅｎｓｉｂｌｅ  Ｍａｒｋｕｐ  Ｌａｎｇｕａｇｅ）で記述されているものとする。権利オブジェクト生成手段１４は、第２の鍵１１と第２の権利情報１３を含む権利オブジェクト情報１５を生成して第３のＥＭＭ生成手段５１８に送る。
【００６２】
第３のＥＭＭ生成手段５１８は、権利オブジェクト１５を含む第３のＥＭＭを暗号化して第３のＥＭＭ情報５１９を生成して、多重化手段３０に送る。第２の権利情報１３は第１のＥＭＭの１部として暗号化され保護されることになる。
【００６３】
表５に第３のＥＭＭの構造を示す。表５に示すように、第３のＥＭＭは、表２に示す第１のＥＭＭの構造と比べ、可変部の構成が異なっており、可変部に、権利オブジェクト識別情報１７に相当するディスクリプタ”ＲＯ  ｄｅｓｃｒｉｐｔｏｒ”  を記述し、その後に、第２の鍵と第２の権利情報とを含む権利オブジェクトが記述されている。受信装置６００では、可変部において、ディスクリプタ”ＲＯ  ｄｅｓｃｒｉｐｔｏｒ”が記述されていれば、上記権利オブジェクトが存在することを知ることができる。
ＣＲＣ（Ｃｙｃｌｉｃ  Ｒｅｄｕｎｄａｎｃｙ  Ｃｏｄｅ）はチェック用コードである。
【００６４】
【表５】
2009027681.tif 000007
【００６５】
多重化手段３０は、第１の暗号化ディジタルビデオビットストリーム３、第３のＥＣＭ情報５０７、第３のＥＭＭ情報５１９を多重化して、その第３の多重化情報５３１を変調手段３２に供給する。変調手段３２は第１の多重化情報５３１に直交周波数多重変調を施して第３の変調信号５３３を受信装置６００に出力する。
【００６６】
一方、受信装置６００においては、受信した第３の変調信号５３３が復調手段４９によって復調されて第３の多重化情報６５０を出力する。分離手段５１は、復調された第３の多重化情報６５０から第３のＥＭＭ情報６５２と、第３のＥＣＭ情報６５５と、第１の暗号化ディジタルビデオビットストリーム６２とを分離する。
【００６７】
第３のＥＭＭ情報６５２は第３のＥＭＭ復号手段６５３に加えられる。第３のＥＭＭ復号手段６５３は、表５に示される受信装置６００のカードＩＤ（受信装置識別情報）、関連情報のバイト長、プロトコル番号、限定受信放送運用上の事業体を識別するコードである事業体識別情報、更新する時に増加する番号である更新番号、有効期限情報を抽出するとともに、第３のＥＭＭの構造における可変部のディスクリプタ”ＲＯ  ｄｅｓｃｒｉｐｔｏｒ”を検出して権利オブジェクト６７１を抽出して権利オブジェクト分離手段７２に供給する。
【００６８】
権利オブジェクト分離手段７２は、第２の鍵７３を抽出して第３のＥＣＭ複合手段６５７に供給し、第２の権利情報データ７６を抽出して第２の権利情報解読手段７７に供給する。第３のＥＣＭ復号手段６５７は、第２の鍵７３によって復号して第３のＥＣＭを抽出し、第１の鍵５８を第３の復号手段６６３に供給する。第２の権利情報解読手段７７は、第２の権利情報データ７６から第２の権利情報７８を解読し、抽出して、第３の復号手段６６３に供給する。
【００６９】
第３の復号手段６６３は、第１の鍵５８と第２の権利情報７８とを用いて第１の暗号化ディジタルビデオビットストリーム６２を復号し、第１のディジタルビデオビットストリーム６４として出力する。
以上のように、受信装置６００において、権利オブジェクト６７１を含むＥＣＭ／ＥＭＭに含まれる権利情報と鍵とによる第１の暗号化ディジタルビデオビットストリーム６２の解読を実現することができる。このため、本発明に係る実施の形態３の送受信装置においては、ＥＣＭ／ＥＭＭと、ＯＭＡ  ＤＲＭのような権利オブジェクトを用いたコンテンツ保護の仕組みを利用する保護の仕組みとして実現することができる。
【００７０】
（実施の形態４）
図４は、本発明に係る実施の形態４の送信装置７００と受信装置８００を有する送受信装置の構成を示すブロック図である。なお、図４において、前述の各実施の形態における送受信装置と実質的に同様の機能、構成を有するものには同じ符号を付し、その説明は該当する実施の形態の説明を援用して、実施の形態４では詳細な説明は省略する。
図４に示す実施の形態４の送信装置７００において、入力ディジタル情報であるディジタルビデオビットストリーム１は、第１の暗号化手段２において第１の鍵５を用いて暗号化されて、第１の暗号化情報である第１の暗号化ディジタルビデオビットストリーム３が生成される。生成された第１の暗号化ディジタルビデオビットストリーム３は、多重化手段３０に送られる。
【００７１】
実施の形態４の送信装置７００には、さらに、第１の鍵５と暗号化された第３のＥＣＭ情報５０７を生成する第３のＥＣＭ生成手段５０６と、第２の鍵１１を生成する第２の鍵生成手段１０と、第２の権利情報１３を生成する第２の権利情報生成手段１２と、権利オブジェクト１５を生成する権利オブジェクト生成手段１４と、暗号化された第４のＥＭＭ情報７１９を生成する第４のＥＭＭ生成手段７１８と、多重化手段３０からの第４の多重化情報７３１をＯＦＤＭ（直交周波数多重変調）によって変調する変調手段３２と、権利オブジェクト１５を送る相手先の認証を行う第１の認証手段７３６と、第１の認証手段７３６の認証情報を送受信するとともに権利オブジェクト１５を送信する第１の通信手段７３４と、が設けられている。
【００７２】
一方、受信装置８００において、復調手段４９は受信した第４の変調信号７３３を復調して、第４の多重化情報８５０を分離手段５１に供給する。分離手段５１は、第４の多重化情報８５０から第４のＥＭＭ情報８５２と第３のＥＣＭ情報６５５と第１の暗号化情報である第１の暗号化ディジタルビデオビットストリーム６２とを分離する。また、受信装置８００には、第４のＥＭＭ情報８５２が入力される第４のＥＭＭ復号手段８５３と、第２の通信手段８７０から権利オブジェクト８７１が入力されて第２の鍵７３と第２の権利情報データ７６とを分離する権利オブジェクト分離手段７２と、第２の鍵７３が供給され第１の鍵５８を抽出する第４のＥＣＭ復号手段８５７と、第２の権利情報データ７６から第２の権利情報７８を抽出する第２の権利情報解読手段７７と、分離された第１の暗号化ディジタルビデオビットストリーム６２を第１の鍵５８と第２の権利情報７８とに基づいて復号し、第１のディジタルビデオビットストリーム６４を出力する第３の復号手段６６３と、権利オブジェクトを受信し、その相手先の認証を行う第２の認証手段８７３と、第２の認証手段８７３の認証情報を送受信するとともに権利オブジェクトを受信する第２の通信手段８７０と、が設けられている。また、第１の通信手段７３４と第２の通信手段８７０の間で通信情報７３５が送られる。通信情報７３５は、有線インタネット、無線インタネットあるいは携帯端末のように電波を介してもよい。
【００７３】
図４に示す送信装置７００において、入力ディジタル情報であるディジタルビデオビットストリーム１は、第３のＥＣＭ生成手段５０６によって生成された第１の鍵５を用いて第１の暗号化手段２によって暗号化され、第１の暗号化ディジタルビデオビットストリーム３として出力される。
【００７４】
第３のＥＣＭ生成手段５０６によって生成される第３のＥＣＭの構造は、前述の表１と同様である。
第２の鍵生成手段１０によって生成される第２の鍵１１によって第３のＥＣＭを暗号化することにより第３のＥＣＭ情報５０７が生成され、多重化手段３０に送られる。
【００７５】
一方、第２の鍵生成手段１０によって生成された第２の鍵１１は権利オブジェクト生成手段１４に送られる。第２の権利情報生成手段１２は第２の権利情報１３を生成して権利オブジェクト生成手段１４に送る。第２の権利情報１３はＸＭＬ（ｅＸｔｅｎｓｉｂｌｅ  Ｍａｒｋｕｐ  Ｌａｎｇｕａｇｅ）で記述されているものとする。権利オブジェクト生成手段１４は、第２の鍵１１と第２の権利情報１３を含む権利オブジェクト情報１５を生成して第１の通信手段７３４に送る。第１の通信手段７３４は、権利オブジェクト１５に変調を施して通信情報７３５として出力する。
【００７６】
第４のＥＭＭ生成手段７１８は、第４のＥＭＭを暗号化して第４のＥＭＭ情報７１９を生成して、多重化手段３０に送る。
表６に第４のＥＭＭの構造を示す。表６に示すように、第４のＥＭＭは、前述の表５に示す第１のＥＭＭの構造と比べ、可変部の構成が異なっており、可変部に、ディスクリプタ”ＲＯ  ｄｅｓｃｒｉｐｔｏｒ”と権利オブジェクトを含まない。  ＣＲＣ（Ｃｙｃｌｉｃ  Ｒｅｄｕｎｄａｎｃｙ  Ｃｏｄｅ）はチェック用コードである。
【００７７】
【表６】
2009027681.tif 000008
【００７８】
多重化手段３０は、第１の暗号化ディジタルビデオビットストリーム３、第３のＥＣＭ情報５０７、第４のＥＭＭ情報７１９を多重化して、その第４の多重化情報７３１を変調手段３２に供給する。変調手段３２は第４の多重化情報７３１に直交周波数多重変調を施して第４の変調信号７３３を受信装置８００に出力する。
【００７９】
一方、受信装置８００においては、受信した第４の変調信号７３３が復調手段４９によって復調されて第４の多重化情報８５０を出力する。分離手段５１は、復調された第４の多重化情報８５０から第４のＥＭＭ情報８５２と、第３のＥＣＭ情報６５５と、第１の暗号化ディジタルビデオビットストリーム６２とを分離する。
【００８０】
第４のＥＭＭ情報８５２は第４のＥＭＭ復号手段８５３に加えられる。第４のＥＭＭ復号手段８５３は表６に示される受信装置８００のカードＩＤ（受信装置識別情報）、関連情報のバイト長、プロトコル番号、限定受信放送運用上の事業体を識別するコードである事業体識別情報、更新する時に増加する番号である更新番号、有効期限情報を抽出する。
【００８１】
第２の認証手段８７３は、第２の通信手段８７０、第１の通信手段７３４を経由して、第１の認証手段７３６に認証要求を出す。第１の認証手段７３６、第２の認証手段８７３は、要求と応答を通じて正当性を確認し、正当性が確認された後、第１の通信手段７３４は権利オブジェクト１５を第２の通信手段８７０に送り、第２の通信手段８７０は受信した権利オブジェクト８７１を権利オブジェクト分離手段７２に送る。
【００８２】
権利オブジェクト分離手段７２は、第２の鍵７３を抽出して第４のＥＣＭ複合手段８５７に供給し、第２の権利情報データ７６を抽出して第２の権利情報解読手段７７に供給する。第２の権利情報解読手段７７は、第２の権利情報データ７６から第２の権利情報７８を解読し、抽出して、第３の復号手段６６３に供給する。
【００８３】
第３の復号手段６６３は、第１の鍵５８と第２の権利情報７８とを用いて第１の暗号化ディジタルビデオビットストリーム６２を復号し、第１のディジタルビデオビットストリーム６４として出力する。
【００８４】
以上のように、受信装置８００において、権利オブジェクト８７１とＥＣＭ／ＥＭＭに含まれる鍵とによる第１の暗号化ディジタルビデオビットストリーム６２の解読を実現することができる。このため、本発明に係る実施の形態４の送受信装置においては、ＥＣＭ／ＥＭＭと、ＯＭＡ  ＤＲＭのような権利オブジェクトを第４の変調信号７３３とは別線路によって伝送するコンテンツ保護の仕組みを利用する保護の仕組みとして実現することができる。これによって、コンテンツを一旦、受信装置８００に蓄積しておき、使用する時点において、送信装置７００から権利オブジェクトを受け取りことが可能となり、受信装置８００として携帯端末を用いる場合に格段の利便性を提供する。
【００８５】
（実施の形態５）
図５は、本発明に係る実施の形態５の送信装置５００と受信装置９００と外部装置６７４を有する送受信装置の構成を示すブロック図であり、受信装置９００と外部装置６７４はホームネットワークを構成している。図５において、前述の各実施の形態における送受信装置と実質的に同様の機能、構成を有するものには同じ符号を付し、その説明は該当する実施の形態の説明を援用して、実施の形態５では詳細な説明は省略する。
【００８６】
図５に示す実施の形態５の送信装置５００は、本発明の実施の形態３の送信装置５００と同様の構成である。
一方、受信装置９００は、基本的に本発明の実施の形態３と同様であるが、第１の出力手段６７２を有する点が異なる。第１の出力手段６７２は、第３の多重化情報６５０を第１の出力信号６７３として外部装置６７４に送る。外部装置６７４は、例えば携帯電話、携帯ビデオプレーアのような携帯端末である。また、第１の出力信号６７３は、物理的には、イーサネット（登録商標）のような有線、又は「８０２．１１ｂ」のような無線でもよい。
【００８７】
以上のように、受信装置９００において、権利オブジェクト識別情報によって識別する権利オブジェクト６７１を含むＥＣＭ／ＥＭＭに含まれる権利情報と鍵とにより、第１の暗号化ディジタルビデオビットストリーム６２の解読を実現することができる。それに加えて、外部装置６７４にＥＣＭ／ＥＭＭと、ＯＭＡ  ＤＲＭのような権利オブジェクトを用いたコンテンツ保護の仕組みによりコンテンツを出力することが可能となる。
【００８８】
（実施の形態６）
図６は、本発明に係る実施の形態６の送信装置１０００と受信装置１１００と外部装置１２００とを有する送受信装置の構成を示すブロック図である。図６において、前述の各実施の形態における送受信装置と実質的に同様の機能、構成を有するものには同じ符号を付し、その説明は該当する実施の形態の説明を援用して、実施の形態６では詳細な説明は省略する。
図６に示す実施の形態６の送信装置１０００において、入力ディジタル情報であるディジタルビデオビットストリーム１は、第１の暗号化手段２において第１の鍵５を用いて暗号化されて、第１の暗号化情報である第１の暗号化ディジタルビデオビットストリーム３が生成される。生成された第１の暗号化ディジタルビデオビットストリーム３は、多重化手段３０に送られる。
【００８９】
実施の形態６の送信装置１０００には、さらに、第１の鍵５と暗号化された第３のＥＣＭ情報５０７を生成する第３のＥＣＭ生成手段５０６と、第２の鍵１１を生成する第２の鍵生成手段１０と、第２の権利情報１３を生成する第２の権利情報生成手段１２と、権利オブジェクト１５を生成する権利オブジェクト生成手段１４と、暗号化された第５のＥＭＭ情報１０１９を生成する第５のＥＭＭ生成手段１０１８と、第１の権利情報９を生成する第１の権利情報生成手段８と、多重化手段３０からの第４の多重化情報１０３１をＯＦＤＭ（直交周波数多重変調）によって変調して第５の変調信号１０３３を出力する変調手段３２と、が設けられている。
【００９０】
一方、受信装置１１００において、復調手段４９は受信した第５の変調信号１０３３を復調して、第５の多重化情報１１５０を分離手段５１に供給する。分離手段５１は、第５の多重化情報１１５０から、第５のＥＭＭ情報１１５２と、第３のＥＣＭ情報６５５と、ＰＭＴ（Ｐｒｏｇｒａｍ  Ｍａｐ  Ｔａｂｌｅ）情報５９と、第１の暗号化情報である第１の暗号化ディジタルビデオビットストリーム６２とをそれぞれ分離する。また、受信装置１１００には、第５のＥＭＭ情報１１５２が入力される第５のＥＭＭ復号手段１１５３と、第２の鍵７３が供給され第１の鍵５８を抽出する第３のＥＣＭ復号手段６５７と、ＰＭＴ（Ｐｒｏｇｒａｍ  Ｍａｐ  Ｔａｂｌｅ）情報５９から第１の権利情報６１を抽出する第１の権利情報抽出手段６０と、分離された第１の暗号化ディジタルビデオビットストリーム６２を第１の鍵５８と第１の権利情報６１とに基づいて復号し、第１のディジタルビデオビットストリーム６４を出力する第１の復号手段６３と、第５の多重化情報１１５０が入力される第２の出力手段１１０１と、が設けられている。第２の出力手段１１０１は、第２の出力信号１１０２を出力し、この信号伝送は物理的には、イーサネット（登録商標）のような有線、又は「８０２．１１ｂ」のような無線でもよく、受信装置１１００とともにホームネットワークの１部を構成している。
【００９１】
外部装置１２００は、例えば、携帯電話、携帯ビデオプレーヤ、車載端末であり、その構成を図７に示す。図７は実施の形態６における外部装置１２００の構成を示すブロック図である。外部装置１２００は、受信装置１１００の第２の出力手段１１０１から第５の多重化情報１１５０を、第２の出力信号１１０２として受信するとともに、送信装置１０００の第１の通信手段７３４から権利オブジェクト情報１５を通信信号７３５として受信する。図７に示すように、外部装置１２００は、第１の入力手段１２４９、分離手段５１、第２の復号手段８０、第３のＥＣＭ復号手段６５７、第３の通信手段１２７０、第３の認証手段１２７３、権利オブジェクト分離手段７２、第２の権利情報解読手段７７、を有する。
【００９２】
図６に示す送信装置１０００において、入力ディジタル情報であるディジタルビデオビットストリーム１は、第３のＥＣＭ生成手段５０６によって生成された第１の鍵５を用いて第１の暗号化手段２によって暗号化され、第１の暗号化ディジタルビデオビットストリーム３として出力される。
第３のＥＣＭ生成手段５０６によって生成される第３のＥＣＭの構造は、前述の表１と同様である。第２の鍵生成手段１０によって生成される第２の鍵１１によって第３のＥＣＭを暗号化することにより第３のＥＣＭ情報５０７が生成され、多重化手段３０に送られる。
【００９３】
一方、第２の鍵生成手段１０によって生成された第２の鍵１１は権利オブジェクト生成手段１４に送られる。第２の権利情報生成手段１２は第２の権利情報１３を生成して権利オブジェクト生成手段１４に送る。第２の権利情報１３はＸＭＬ（ｅＸｔｅｎｓｉｂｌｅ  Ｍａｒｋｕｐ  Ｌａｎｇｕａｇｅ）で記述されているものとする。権利オブジェクト生成手段１４は、第２の鍵１１と第２の権利情報１３を含む権利オブジェクト１５を生成して第１の通信手段７３４に送る。第１の通信手段７３４は、権利オブジェクト１５に変調を施して通信情報７３５として出力する。
【００９４】
第５のＥＭＭ生成手段１０１８は、第５のＥＭＭを暗号化して第５のＥＭＭ情報１０１９を生成して、多重化手段３０に送る。
表７に第５のＥＭＭの構造を示す。表７に示すように、第５のＥＭＭは、可変部に、ディスクリプタ“ＥｎｃＫｅｙ  ｄｅｓｃｒｉｐｔｏｒ”と第２の鍵を有する。ＣＲＣ（Ｃｙｃｌｉｃ  Ｒｅｄｕｎｄａｎｃｙ  Ｃｏｄｅ）はチェック用コードである。
【００９５】
【表７】
2009027681.tif 000009
【００９６】
多重化手段３０は、第１の暗号化ディジタルビデオビットストリーム３、第３のＥＣＭ情報５０７、第５のＥＭＭ情報１０１９を多重化して、第５の多重化情報１０３１を変調手段３２に供給する。変調手段３２は第５の多重化情報１０３１に直交周波数多重変調を施して第５の変調信号１０３３を受信装置１１００に出力する。
【００９７】
一方、受信装置１１００においては、受信した第５の変調信号１０３３が復調手段４９によって復調されて第５の多重化情報１１５０を出力する。分離手段５１は、復調された第５の多重化情報１１５０から第５のＥＭＭ情報１１５２と、第３のＥＣＭ情報６５５と、ＰＭＴ（Ｐｒｏｇｒａｍ  Ｍａｐ  Ｔａｂｌｅ）情報５９と、第１の暗号化ディジタルビデオビットストリーム６２とを分離する。
【００９８】
第５のＥＭＭ情報１１５２は、第５のＥＭＭ復号手段１１５３に加えられる。第５のＥＭＭ復号手段１１５３は表７に示される受信装置１１００のカードＩＤ（受信装置識別情報）、関連情報のバイト長、プロトコル番号、限定受信放送運用上の事業体を識別するコードである事業体識別情報、更新する時に増加する番号である更新番号、有効期限情報を抽出する。
【００９９】
第５のＥＭＭ復号手段１１５３は第２の鍵７３を抽出して第３のＥＣＭ復号手段６５７に供給し、第３のＥＣＭ復号手段６５７は第１の鍵５８を抽出して第１の復号手段６３に供給する。
第１の復号手段６３は、第１の鍵５８と第１の権利情報６１とを用いて第１の暗号化ディジタルビデオビットストリーム６２を復号し、第１のディジタルビデオビットストリーム６４として出力する。
【０１００】
第２の出力手段１１０１は、第５の多重化情報１１５０を外部装置１２００に第２の出力信号１１０２として出力する。
外部装置１２００においては、第１の入力手段１２４９が第５の多重化情報１１５０を受信装置１１００からの第２の出力信号１１０２として受け取り、その信号を第６の多重化情報１２５０として分離手段５１へ供給する。分離手段５１は、第６の多重化情報１２５０を第３のＥＣＭ情報６５５と第２の暗号化ディジタルビデオビットストリーム７９に分離し、第２の暗号化ディジタルビデオビットストリーム７９を第２の復号手段８０に出力する。
【０１０１】
外部装置１２００の第３の認証手段１２７３は、第３の通信手段１２７０及び送信装置１０００の第１の通信手段７３４を経由して送信装置１０００の第１の認証手段７３６と認証を行い、認証が成立した後、権利オブジェクト１５を受信して、権利オブジェクト分離手段７２によって第２の権利オブジェクト７６を分離する。第２の権利オブジェクト７６は、第２の権利情報解読手段７７によって解読されて、解読された第２の権利情報７８が第２の復号手段８０に出力される。また、第３のＥＣＭ復号手段６５７は、第２の鍵７３によって第３のＥＣＭ情報６５５を復号し、第１の鍵５８を抽出する。抽出された第１の鍵５８は第２の復号手段８０に供給される。
【０１０２】
第２の復号手段８０は、第２の権利情報７８に基づいて、第２の暗号化ディジタルビデオビットストリーム７９を第１の鍵５８によって解読し、第２のディジタルビデオビットストリーム８１を出力する。
【０１０３】
以上のように、実施の形態６の送受信装置においては、ＥＣＭ／ＥＭＭに含まれる鍵による第１の暗号化ディジタルビデオビットストリーム３の解読を実現することができる。権利オブジェクト１５には第１の権利情報とは異なる権利が含まれるため、携帯端末のような外部装置１２００においては、オペレータ側から新たに取得した第１の権利情報９によって許諾される受信装置１１００での復号とは異なる許諾に基づく復号が可能となる。これによって、コンテンツを一旦、受信装置１１００、例えばセットトップボックスに蓄積しておき、外部装置１２００、例えば携帯端末や車載端末に無線ＬＡＮを経由して転送し、外部装置１２００は、コンテンツを使用する時点において、送信装置１０００から、例えば、電波を経由して権利オブジェクトを受け取ることが可能となる。したがって、実施の形態６の送受信装置は、格段の利便性を提供することが可能な構成となる。
【産業上の利用可能性】
【０１０４】
本発明は、ＥＣＭ／ＥＭＭによる保護の仕組みを用いるディジタル放送において、ＯＭＡ  ＤＲＭのような権利オブジェクトによる保護の仕組みを用いる著作権管理を併用する場合に特に有用である。
【図面の簡単な説明】
【０１０５】
【図１】本発明に係る実施の形態１の送信装置と受信装置を有する送受信装置の構成を示すブロック図である。
【図２】本発明に係る実施の形態２の送信装置と受信装置を有する送受信装置の構成を示すブロック図である。
【図３】本発明に係る実施の形態３の送信装置と受信装置を有する送受信装置の構成を示すブロック図である。
【図４】本発明に係る実施の形態４の送信装置と受信装置を有する送受信装置の構成を示すブロック図である。
【図５】本発明に係る実施の形態５の送信装置と受信装置と外部装置を有する送受信装置の構成を示すブロック図である。
【図６】本発明に係る実施の形態６の送信装置と受信装置と外部装置を有する送受信装置の構成を示すブロック図である。
【図７】実施の形態６における外部装置の構成を示すブロック図である。
【図８】従来の送受信装置の構成を示すブロック図である。
【符号の説明】
【０１０６】
１  ディジタルビデオビットストリーム
２  第１の暗号化手段
５  第１の鍵
６  第１のＥＣＭ生成手段
８  第１の権利情報生成手段
１０  第２の鍵生成手段
１１  第２の鍵
１２  第２の権利情報生成手段
１４  権利オブジェクト生成手段
１６  権利オブジェクト識別情報生成手段
１８  第１のＥＭＭ生成手段
２０  第３の鍵
２１  第２のＥＣＭ生成手段
２３  第２のＥＭＭ生成手段
２８  第２の暗号化手段
３０  多重化手段
３２  変調手段
４９  復調手段
５１  分離手段
５３  第１のＥＭＭ復号手段
５４  第３の鍵
５７  第１のＥＣＭ復号手段
５８  第１の鍵
６０  第１の権利情報抽出手段
６３  第１の復号手段
６７  第２のＥＭＭ復号手段
６９  第２のＥＣＭ復号手段
７２  権利オブジェクト分離手段
７３  第３の鍵
７７  第２の権利情報解読手段
８０  第２の復号手段
５０６  第３のＥＣＭ生成手段
５１８  第３のＥＭＭ生成手段
６５３  第３のＥＭＭ復号手段
６５７  第３のＥＣＭ復号手段
６７２  第１の出力手段
７１８  第４のＥＭＭ生成手段
７３４  第１の通信手段
７３６  第１の認証手段
８５３  第４のＥＭＭ復号手段
８５７  第４のＥＣＭ復号手段
８７０  第２の通信手段
８７３  第２の認証手段
１０１８  第５のＥＭＭ生成手段
１１０１  第２の出力手段
１１５３  第５のＥＭＭ復号手段
１２００  外部装置
【図１】
2009027681.tif 000010
【図２】
2009027681.tif 000011
【図３】
2009027681.tif 000012
【図４】
2009027681.tif 000013
【図５】
2009027681.tif 000014
【図６】
2009027681.tif 000015
【図７】
2009027681.tif 000016
【図８】
2009027681.tif 000017